(57)【要約】【課題】相手側コネクタとの接合作業を常に円滑に行うことが可能なレバー式コネクタを提供すること。【解決手段】レバー式コネクタ１０は、相手側コネクタ１の相手側ハウジング２に対して挿抜されるハウジング２０と、ハウジングの両側面２２に沿って配置された一対の側板５１と、側板の端部を連結する操作部５２とを有し、ハウジングに回動可能に装着されてレバー仮係止位置と嵌合完了位置との間で回動操作可能なレバー５０と、を備え、レバーの嵌合開始位置から嵌合完了位置までの回動操作で、ハウジングが相手側ハウジングに嵌合される。ハウジングは、レバーの嵌合完了位置へ向かう回動方向と反対側に、レバー仮係止位置に配置されたレバーの回動外周端５０ａよりも外方へ張り出すレバー保護壁３０を有し、レバー仮係止位置に配置されたレバーは、操作部がレバー保護壁に重なるように配置される。【選択図】図３
2018041628.tif 000002
【特許請求の範囲】
【請求項１】
相手側コネクタの相手側ハウジングに対して挿抜されるハウジングと、
前記ハウジングの両側面に沿って配置された一対の側板と、前記側板の端部を連結する操作部とを有し、前記ハウジングに回動可能に装着されてレバー仮係止位置と嵌合完了位置との間で回動操作可能なレバーと、を備え、
前記レバーの嵌合開始位置から前記嵌合完了位置までの回動操作で、前記ハウジングが前記相手側ハウジングに嵌合されるレバー式コネクタであって、
前記ハウジングは、前記レバーの前記嵌合完了位置へ向かう回動方向と反対側に、前記レバー仮係止位置に配置された前記レバーの回動外周端よりも外方へ張り出すレバー保護壁を有し、
前記レバー仮係止位置に配置された前記レバーは、前記操作部が前記レバー保護壁に重なるように配置される
ことを特徴とするレバー式コネクタ。
【請求項２】
前記レバーは、前記レバー仮係止位置から前記嵌合完了位置へ回動されることで、前記相手側ハウジングの両外側面に形成されたカムボスを引き込むカム溝を前記側板に有し、
前記相手側ハウジングと前記ハウジングとが嵌合された際に、前記カム溝に前記カムボスが押し込まれて前記レバーが前記嵌合開始位置へ向かって回動される
ことを特徴とする請求項１に記載のレバー式コネクタ。
【発明の詳細な説明】
【技術分野】
【０００１】
本発明は、レバー式コネクタに関する。
【背景技術】
【０００２】
従来より、相手側コネクタの相手側ハウジングに嵌合接続されるハウジングに回動可能に取り付けられたレバーを回動させることにより、その回動力によって、低挿入力でコネクタ嵌合を行うことができるレバー式コネクタが知られている（例えば、特許文献１参照）。
このレバー式コネクタでは、レバーが初期位置であるレバー仮係止位置に配置された状態で相手側ハウジングにハウジングが嵌め込まれ、その後、レバーを嵌合完了位置へ回動させてハウジングのロック部に係止ロックさせることで、ハウジングが相手側ハウジングに嵌合された状態に維持される。
【先行技術文献】
【特許文献】
【０００３】
【特許文献１】特開２０１３−２６１５４号公報
【発明の概要】
【発明が解決しようとする課題】
【０００４】
ところで、相手側コネクタへの嵌合前の梱包時や輸送時などに、意図せずにレバーが初期位置からずれた位置に回動されることがある。このような場合、レバーを初期位置に戻してから相手側コネクタに接合しなければならず、接合作業が煩雑化してしまう。
【０００５】
本発明は、上述した事情に鑑みてなされたものであり、その目的は、相手側コネクタとの接合作業を常に円滑に行うことが可能なレバー式コネクタを提供することにある。
【課題を解決するための手段】
【０００６】
前述した目的を達成するために、本発明に係るレバー式コネクタは、下記（１）及び（２）を特徴としている。
（１）  相手側コネクタの相手側ハウジングに対して挿抜されるハウジングと、
前記ハウジングの両側面に沿って配置された一対の側板と、前記側板の端部を連結する操作部とを有し、前記ハウジングに回動可能に装着されてレバー仮係止位置と嵌合完了位置との間で回動操作可能なレバーと、を備え、
前記レバーの嵌合開始位置から前記嵌合完了位置までの回動操作で、前記ハウジングが前記相手側ハウジングに嵌合されるレバー式コネクタであって、
前記ハウジングは、前記レバーの前記嵌合完了位置へ向かう回動方向と反対側に、前記レバー仮係止位置に配置された前記レバーの回動外周端よりも外方へ張り出すレバー保護壁を有し、
前記レバー仮係止位置に配置された前記レバーは、前記操作部が前記レバー保護壁に重なるように配置される
ことを特徴とするレバー式コネクタ。
（２）  前記レバーは、前記レバー仮係止位置から前記嵌合完了位置へ回動されることで、前記相手側ハウジングの両外側面に形成されたカムボスを引き込むカム溝を前記側板に有し、
前記相手側ハウジングと前記ハウジングとが嵌合された際に、前記カム溝に前記カムボスが押し込まれて前記レバーが前記嵌合開始位置へ向かって回動される
ことを特徴とする上記（１）に記載のレバー式コネクタ。
【０００７】
上記（１）の構成のレバー式コネクタでは、ハウジングに形成されたレバー保護壁が、レバー仮係止位置に配置されたレバーの回動外周端よりも外方へ張り出し、しかも、レバー仮係止位置に配置されたレバーの操作部がレバー保護壁に重なるように配置される。そこで、相手側コネクタへの接合前の梱包時や輸送時などに、意図せずにレバーに触れてレバーが初期位置からずれた位置に回動されることが抑制される。したがって、意図せず回動されたレバーを相手側コネクタへの接合時に初期位置であるレバー仮係止位置へ戻す煩雑な作業を不要にでき、相手側コネクタとの接合作業を円滑に行うことができる。
上記（２）の構成のレバー式コネクタでは、相手側ハウジングとハウジングとを嵌合させると、カム溝にカムボスが押し込まれ、レバー仮係止位置に配置されたレバーが嵌合開始位置へ向かって回動されるので、レバー保護壁に重なるように配置されていたレバーの操作部がレバー保護壁から離間する。これにより、作業者はレバーの操作部を容易に把持し、嵌合完了位置へレバーを円滑に回動させることができ、相手側コネクタへの接合作業を容易に行うことができる。
【発明の効果】
【０００８】
本発明によれば、相手側コネクタとの接合作業を常に円滑に行うことが可能なレバー式コネクタを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、相手側コネクタに嵌合される前の本発明の一実施形態に係るレバー式コネクタを後方側から視た斜視図である。
【図２】図２は、図１に示したレバー式コネクタを前方側から視た斜視図である。
【図３】図３の（ａ）はレバーがレバー仮係止位置に配置された状態のレバー式コネクタの側面図、図３の（ｂ）はレバーが嵌合完了位置に配置された状態のレバー式コネクタの側面図である。
【図４】図４の（ａ）は図１に示したハウジングの側面図、図４の（ｂ）は図１に示したレバーの側板の内面を示す断面である。
【図５】図５は、ハウジングとレバーとの支持部分を示す図であって、図５の（ａ）はレバーがレバー仮係止位置に配置された状態の側面図、図５の（ｂ）はレバーが本係止位置に配置された状態の側面図である。
【図６】図６は、レバーの回動による係止突起及びカムボスの動きを説明する図であって、図６の（ａ）はハウジングが相手側コネクタに嵌合される前の状態を示し、図６の（ｂ）はハウジングが相手側コネクタに嵌め込まれてカムボスがカム溝に当接した状態を示す。
【図７】図７は、レバーの回動による係止突起及びカムボスの動きを説明する図であって、図７の（ａ）はハウジングが相手側コネクタに押し込まれてレバーがレバー仮係止位置から嵌合開始位置に移動させられた状態を示し、図７の（ｂ）はレバーが嵌合完了位置に移動された状態を示す。
【図８】図８は、ロック部による操作部の係止ロックについて説明する要部断面図である。
【図９】図９は、嵌合完了位置に移動されたレバーの操作部を係止するハウジングのロック部を図３の（ｂ）の矢印Ａ方向から視た拡大図である。
【発明を実施するための形態】
【００１１】
以下、本発明に係る実施の形態の例を、図面を参照して説明する。
図１は、相手側コネクタ１に嵌合される前の本発明の一実施形態に係るレバー式コネクタ１０を後方側から視た斜視図である。図２は、図１に示したレバー式コネクタ１０を前方側から視た斜視図である。図３の（ａ）はレバー５０がレバー仮係止位置に配置された状態のレバー式コネクタ１０の側面図、図３の（ｂ）はレバー５０が嵌合完了位置に配置された状態のレバー式コネクタ１０の側面図である。
【００１２】
図１〜図３に示すように、本実施形態に係るレバー式コネクタ１０は、ハウジング２０と、レバー５０とを備えている。レバー式コネクタ１０は、相手側ハウジング２とハウジング２０とを互いに嵌合させることで相手側コネクタ１と嵌合される。レバー５０は、ハウジング２０の両側面２２に沿って配置された一対の側板５１と、側板５１の端部を連結する操作部５２とを有している。レバー５０は、ハウジング２０に対して水平方向の軸線を中心として回動可能とされている。
【００１３】
レバー５０は、レバー仮係止位置（図３の（ａ）参照）と嵌合完了位置（図３の（ｂ）参照）との間で回動操作される。ハウジング２０には、その上面２３に、レバー５０の操作部５２を係止ロックするロック部２４を有しており、レバー５０は、ロック部２４によって操作部５２が係止ロックされることで、嵌合完了位置にロックされる。レバー式コネクタ１０は、レバー５０を回動操作することで、相手側コネクタ１に対する嵌合及び離脱が補助される。つまり、レバー式コネクタ１０は、レバー５０の操作によって相手側コネクタ１に対して低挿入力で嵌合されるＬＩＦ（Ｌｏｗ  Ｉｎｓｅｒｔｉｏｎ  Ｆｏｒｃｅ）コネクタである。
【００１４】
ハウジング２０は、絶縁性の合成樹脂から形成されたもので、前部２０ａを相手側コネクタ１の相手側ハウジング２に向けて嵌合される。ハウジング２０は、複数の端子収容室２１を有している。これらの端子収容室２１は、相手側コネクタ１との嵌合方向に沿って形成されており、それぞれの端子収容室２１には、電線（図示略）に接続された端子（図示略）が収容されている。ハウジング２０は、その後部２０ｂから、端子収容室２１に収容された端子に接続された電線が引き出される。ハウジング２０には、その後部２０ｂに電線カバー２８が装着されており、ハウジング２０の後部２０ｂから引き出された電線が電線カバー２８によって覆われて一方向（本例では下方）へ束ねて導出される。ハウジング２０の端子収容室２１に収容された端子は、レバー式コネクタ１０を相手側コネクタ１に嵌合することで、相手側コネクタ１の相手側ハウジング２に設けられた端子（図示略）に対して電気的に接続される。
【００１５】
更に、ハウジング２０は、レバー保護壁３０を有している。このレバー保護壁３０は、レバー５０の嵌合完了位置へ向かう回動方向と反対側であるハウジング２０の前部２０ａに形成されている。このレバー保護壁３０は、レバー仮係止位置に配置されたレバー５０の回動外周端５０ａよりも外方へ張り出している。レバー仮係止位置に配置されたレバー５０は、レバー保護壁３０に重なるように配置される。なお、レバー保護壁３０は、レバー仮係止位置に配置されたレバー５０の回動外周端５０ａと同じ張り出し高さでもよい。
【００１６】
図４の（ａ）に示すように、ハウジング２０の両側面２２には、支軸２５が突設されている。図４の（ｂ）に示すように、レバー５０の側板５１には、回動孔５５が形成されており、この回動孔５５にハウジング２０の支軸２５が挿通される。これにより、レバー５０は、側板５１の回動孔５５に挿通された支軸２５を中心として回動可能とされている。支軸２５には、その先端部に、軸線と交差するハウジング２０の後方へ延びる係止片２６が形成されている。
【００１７】
また、回動孔５５は、係止片２６の外形に対応した開口形状を有しており、レバー５０をレバー仮係止位置と嵌合完了止位置との間に配置させて係止片２６を回動孔５５の開口形状に合わせた状態でのみ該係止片２６が挿通可能とされている。そこで、回動孔５５に挿通された係止片２６は、側板５１の外面に凹設された係止凹部５７に対向する範囲では側板５１を抜け止めした状態となる。
【００１８】
更に、回動孔５５の近傍である係止凹部５７の底面には、図５の（ａ），（ｂ）に示すように、レバー５０が嵌合完了係止位置に移動された際に、係止片２６の内面により側面２２側へ側板５１が押圧付勢される被押圧突起５６が突設されている。
【００１９】
支軸２５の係止片２６は、図５の（ａ），（ｂ）に示すように、レバー５０がレバー仮係止位置に配置された際には、係止凹部５７の一部と互いに重なり合わされる。これにより、レバー５０の側板５１は、レバー仮係止位置に配置された状態で係止凹部５７が係止片２６に係止される。また、支軸２５の係止片２６は、図５の（ｂ）に示すように、レバー５０が嵌合完了位置に配置された際にも、係止凹部５７の一部と互いに重なり合わされる。これにより、レバー５０の側板５１は、嵌合完了位置に配置された状態でも係止凹部５７が係止片２６に係止される。
【００２０】
図４の（ａ）に示すように、ハウジング２０の両側面２２には、前部２０ａ側が開放された導入溝４７が形成されている。この導入溝４７は、ハウジング２０における前後方向に沿って形成されている。導入溝４７には、ハウジング２０を相手側ハウジング２と嵌合させた際に、相手側ハウジング２の両側面に形成されたカムボス５及びガイド突条６（図１，２参照）が挿入される。
【００２１】
また、図４の（ｂ）に示すように、レバー５０の側板５１には、ハウジング２０の側面２２と対向する内面に、カム溝７７が形成されている。このカム溝７７は、レバー５０が仮係止位置に移動された状態において側板５１の前方側で開放されており、側板５１の後方側へ向かって斜め下方へ延在されている。このカム溝７７には、ハウジング２０を相手側ハウジング２と嵌合させた際に、相手側ハウジング２のカムボス５が入り込む（図６の（ｂ）参照）。そして、この状態からレバー５０が嵌合完了位置へ向かって回動されると、回動されるレバー５０のカム溝７７が回動し、カム溝７７内に入り込んだカムボス５が引き寄せられる（図７の（ａ），（ｂ）参照）。これにより、ハウジング２０と相手側ハウジング２とが互いに引き寄せられて嵌合する。
【００２２】
更に、レバー５０の側板５１の内面には、ハウジング２０に対してレバー５０をレバー仮係止位置に係止する係止突起７３が形成されている。係止突起７３は、レバー５０が仮係止位置に移動された状態では導入溝４７内に配置され、この導入溝４７の上縁部に係止されている（図６の（ａ）参照）。
【００２３】
ハウジング２０の両側面２２には、レバー５０の回動時に係止突起７３が非接触状態となる逃がし凹部４３が形成されている。逃がし凹部４３は、支軸２５を中心とした扇状に形成されている。
【００２４】
そこで、レバー５０が嵌合完了位置へ向かって回動されると、係止突起７３は、導入溝４７の上縁部を乗り越えて逃がし凹部４３内に導かれ、この逃がし凹部４３内を通過する。レバー５０が回動される際には、レバー５０の側板５１の内面に形成された係止突起７３がハウジング２０の側面２２に形成された逃がし凹部４３内を通ることで、係止突起７３がハウジング２０の側面２２に接触することはなく、レバー５０は所定方向へ向かって円滑に回動される。
なお、係止突起７３及び逃がし凹部４３は、両方の側板５１及び両側面２２に必ずしも設けられる必要はなく、一方の側板５１及び側面２２にのみ設けられてもよい。
【００２５】
図３の（ａ），（ｂ）に示すように、ハウジング２０は、レバー外れ防止部３５を有している。このレバー外れ防止部３５は、ハウジング２０の両側部における上方位置にそれぞれ設けられており、レバー保護壁３０から両側面２２に沿って後方へ延在するように形成されている。レバー５０は、その側板５１の一部に、上方縁部６１及び振動抑制用突起６２を有している。
【００２６】
レバー５０は、レバー仮係止位置に移動された状態で、レバー外れ防止部３５に対向する側板５１の上方縁部６１がレバー外れ防止部３５の内側に入り込む（図６の（ａ）参照）。そこで、レバー５０は、レバー仮係止位置に移動されることで、上方縁部６１がレバー外れ防止部３５によって外側から覆われ、側板５１がハウジング２０から外れるのを防止される。
【００２７】
また、レバー５０は、嵌合完了位置に移動された状態では、振動抑制用突起６２がレバー外れ防止部３５の内側に入り込む（図６の（ｂ）参照）。そこで、レバー５０は、嵌合完了位置に移動されることで、側板５１の振動抑制用突起６２がレバー外れ防止部３５によって外側から覆われると共に、レバー外れ防止部３５の内面が振動抑制用突起６２に対して圧接状態となり、レバー外れ防止部３５に対して側板５１のがたつきがなくなる。なお、レバー外れ防止部３５の内面は、振動抑制用突起62に対して接触した状態であればよく、圧接状態でなく隙間なし状態であってもよい。
【００２８】
図１及び図８，９に示すように、ハウジング２０の上面２３に設けられたロック部２４は、可撓アーム部２７と、係合部２９とを有している。係合部２９は、レバー５０が嵌合完了位置に移動された際に、操作部５２に突設された係止部５３を係止ロックする。
これにより、レバー５０は、係止部５３がロック部２４の係合部２９に係止ロックされることで、ハウジング２０に対して回動が規制されたロック状態とされる。
【００２９】
また、操作部５２を係止ロックするためのロック部２４の両側には、一対の壁部４１が上面２３に起立して形成されている。更に、各壁部４１の上縁には、可撓アーム部２７の両側部を覆うように内側へアーム保護壁４０が延在されている。従って、ロック部２４は、一対の壁部４１とアーム保護壁４０により囲まれており、コネクタ嵌合前に可撓アーム部２７が不所望に押圧されて変形するのを防止されている。
また、図９に示すように、アーム保護壁４０は、可撓アーム部２７の両側部の上方にオーバーラップして延在されているので、可撓アーム部２７が不所望に上方へめくり上げられた際には両側部に当接して可撓アーム部２７の変形を防止する。
【００３０】
更に、レバー５０の操作部５２には、一対の壁部４１に外嵌可能な凹部７１が形成されている。そして、レバー５０が嵌合完了位置に移動された際には、凹部７１の内側面７１ａが一対の壁部４１の対向する外側面４１ａにそれぞれ接触する。即ち、一対の壁部４１に操作部５２の凹部７１が隙間なく外嵌された状態（隙間なし状態又は圧接状態）となる。なお、本実施形態の凹部７１の内側面７１ａには、内方へ突出するガタ詰突起７２が設けられており、ガタ詰突起７２が圧縮変形されて一対の壁部４１に操作部５２の凹部７１が圧接された状態となる（図１，９参照）。また、図１に想像線で図示したように、凹部７１の内側面７１ａが対向する一対の壁部４１の外側面４１ａに、外方へ突出するガタ詰突起４２が設けられてもよい。
そこで、嵌合完了位置でロック部２４に係止ロックされたレバー５０の操作部５２は、ハウジング２０の上面２３に対するがたつきが抑えられる。これにより、振動や衝撃などの外力がレバー５０に付与されても、ロック部２４による操作部５２の係止ロックを維持させることができ、相手側コネクタ１との高い嵌合信頼性を維持することができる。
【００３１】
次に、上記のレバー式コネクタ１０を相手側コネクタ１に嵌合させる場合について説明する。
図６〜図７は、レバー５０の回動による係止突起７３及びカムボス５の動きを説明する図である。
【００３２】
先ず、図６の（ａ）に示すように、レバー５０がレバー仮係止位置に仮係止された状態のレバー式コネクタ１０のハウジング２０を相手側コネクタ１の相手側ハウジング２に嵌合させる。
【００３３】
図６の（ｂ）に示すように、ハウジング２０を相手側ハウジング２と嵌合させて相手側ハウジング２のカムボス５及びガイド突条６をハウジング２０の導入溝４７に挿入させると、カムボス５がレバー５０のカム溝７７に当接する。そして、ハウジング２０を相手側ハウジング２に更に押し込むと、レバー５０のカム溝７７に相手側ハウジング２のカムボス５が押し込まれ、その押し込み力によってレバー５０が嵌合開始位置へ向かって回動される。これにより、レバー５０の側板５１の係止突起７３は、導入溝４７の上縁部に対する係止が解除されて逃がし凹部４３内に入り込む。
【００３４】
そして、図７の（ａ）に示すように、レバー仮係止位置に仮係止されていたレバー５０が嵌合開始位置へ向かって回動されることで、レバー保護壁３０に重なるように配置されていたレバー５０がレバー保護壁３０から離間する。これにより、レバー５０の操作部５２を容易に把持することが可能となる。
【００３５】
この状態で、レバー５０の操作部５２を把持してレバー５０を嵌合完了位置まで回動させる。すると、レバー５０のカム溝７７に相手側ハウジング２のカムボス５が引き込まれ、図７の（ｂ）に示すように、ハウジング２０と相手側ハウジング２とが互いに嵌合し、レバー式コネクタ１０が相手側コネクタ１に嵌合され、互いの端子が電気的に接続される。
【００３６】
そして、レバー５０が嵌合完了位置に移動されると、操作部５２の係止部５３がロック部２４の係合部２９に係止ロックされ、ハウジング２０に対するレバー５０の回動が規制されたロック状態とされる。また、ロック部２４では、一対の壁部４１の外側面４１ａが凹部７１の外側面７１ａに突設されたガタ詰突起７２を圧縮変形して隙間なく外嵌された状態となる（図９参照）。これにより、レバー５０は、嵌合完了位置でロック部２４に係止ロックされた操作部５２のがたつきが抑えられる。
【００３７】
また、嵌合完了位置にレバー５０が移動されることで、側板５１の振動抑制用突起６２がレバー外れ防止部３５の内側に入り込み、これにより、側板５１の振動抑制用突起６２がレバー外れ防止部３５によって外側から覆われると共に、レバー外れ防止部３５の内面が振動抑制用突起６２に対して圧接状態となる（図３の（ｂ）参照）。これにより、レバー５０は、レバー外れ防止部３５に対して側板５１のがたつきが抑えられる。
【００３８】
さらに、レバー５０が嵌合完了位置へ回動されると、支軸２５における係止片２６の内面により、側板５１の外面に突設された被押圧突起５６が側面２２側へ押圧付勢されるので、レバー５０は、ハウジング２０の支軸２５に対して側板５１のがたつきが抑えられる（図５参照）。
【００３９】
このように、本実施形態のレバー式コネクタ１０では、レバー５０の操作部５２を把持してレバー５０を回動させることで、カム溝７７とカムボス５とからなるカム機構によって相手側ハウジング２に対するハウジング２０の挿入力が補助される。
【００４０】
以上、説明したように、本実施形態に係るレバー式コネクタ１０によれば、ハウジング２０に形成されたレバー保護壁３０が、レバー仮係止位置に配置されたレバー５０の回動外周端５０ａよりも外方へ張り出し、しかも、レバー仮係止位置に配置されたレバー５０の操作部５２がレバー保護壁３０に重なるように配置される。そこで、相手側コネクタ１への接合前の梱包時や輸送時などに、意図せずにレバー５０に触れてレバー５０が初期位置からずれた位置に回動されることが抑制される。したがって、意図せず回動されたレバー５０を相手側コネクタ１への接合時に初期位置であるレバー仮係止位置へ戻す煩雑な作業を不要にでき、相手側コネクタ１との接合作業を円滑に行うことができる。
【００４１】
また、相手側ハウジング２とハウジング２０とを嵌合させると、カム溝７７にカムボス５が押し込まれ、レバー仮係止位置に配置されたレバー５０が嵌合開始位置へ向かって回動されるので、レバー保護壁３０に重なるように配置されていたレバー５０の操作部５２がレバー保護壁３０から離間する。これにより、作業者はレバー５０の操作部５２を容易に把持し、嵌合完了位置へレバー５０を円滑に回動させて相手側コネクタ１への接合作業を容易に行うことができる。
【００４２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
ここで、上述した本発明に係るレバー式コネクタの実施形態の特徴をそれぞれ以下［１］及び［２］に簡潔に纏めて列記する。
［１］  相手側コネクタ（１）の相手側ハウジング（２）に対して挿抜されるハウジング（２０）と、
前記ハウジングの両側面（２２）に沿って配置された一対の側板（５１）と、前記側板の端部を連結する操作部（５２）とを有し、前記ハウジングに回動可能に装着されてレバー仮係止位置と嵌合完了位置との間で回動操作可能なレバー（５０）と、を備え、
前記レバーの嵌合開始位置から前記嵌合完了位置までの回動操作で、前記ハウジングが前記相手側ハウジング（２）に嵌合されるレバー式コネクタであって、
前記ハウジングは、前記レバーの前記嵌合完了位置へ向かう回動方向と反対側に、前記レバー仮係止位置に配置された前記レバーの回動外周端（５０ａ）よりも外方へ張り出すレバー保護壁（３０）を有し、
前記レバー仮係止位置に配置された前記レバーは、前記操作部（５２）が前記レバー保護壁に重なるように配置される
ことを特徴とするレバー式コネクタ（１０）。
［２］  前記レバー（５０）は、前記レバー仮係止位置から前記嵌合完了位置へ回動されることで、前記相手側ハウジング（２）の両外側面に形成されたカムボス（５）を引き込むカム溝（７７）を前記側板（５１）に有し、
前記相手側ハウジングと前記ハウジング（２０）とが嵌合された際に、前記カム溝に前記カムボスが押し込まれて前記レバーが前記嵌合開始位置へ向かって回動される
ことを特徴とする上記［１］に記載のレバー式コネクタ（１０）。
【符号の説明】
【００４４】
１：相手側コネクタ
２：相手側ハウジング
５：カムボス
１０：レバー式コネクタ
２０：ハウジング
３０：レバー保護壁
５０：レバー
５０ａ：回動外周端
５１：側板
５２：操作部
７７：カム溝
【図１】
2018041628.tif 000003
【図２】
2018041628.tif 000004
【図３】
2018041628.tif 000005
【図４】
2018041628.tif 000006
【図５】
2018041628.tif 000007
【図６】
2018041628.tif 000008
【図７】
2018041628.tif 000009
【図８】
2018041628.tif 000010
【図９】
2018041628.tif 000011